(57)【要約】【課題】  サウナ室を半円球型のドーム型とし、サウナ室の円形内周側壁面及び天井側の半円球型内壁面を麦飯石で形成し、麦飯石から遠赤外線をサウナ利用者に効率的に照射して身体の内部を芯から暖めて発汗作用を促し、発汗作用による効能を十分に享受させることにある。【解決手段】  出入口２１ａを備えたサウナ室２の内側面を円形内周側壁面２１に形成し、サウナ室２の天井側を半円球型のドーム型に形成し、サウナ室の円形内周側壁面２１及び天井側の半円球型内壁面２２を複数の麦飯石３で形成し、天井側の半円球型内壁面２２を形成する複数の麦飯石３を上方から支持する支持体２３を天井側の外壁２４を形成する鉄筋コンクリートの鉄筋２４ａに連結し、円形の床面２５を土で形成し、床面中央に燃焼炉穴２６を設け、床面中央の燃焼炉穴２６の周囲の床面２５を寝床とし、燃焼炉穴２６に外部の空気を供給する空気供給路２６ａを床面２５の下に配設し、ドーム型の天井側の一部に煙突孔２７を形成した。【選択図】        図１
2006263357.tif 000002
【特許請求の範囲】
【請求項１】
出入口を備えたサウナ室の内側面を円形内周側壁面に形成し、サウナ室の天井側を半円球型のドーム型に形成し、サウナ室の円形内周側壁面及び天井側の半円球型内壁面を複数の麦飯石で形成し、円形の床面を土で形成し、床面中央に燃焼炉穴を設け、床面中央の燃焼炉穴の周囲の床面を寝床とし、燃焼炉穴に外部の空気を供給する空気供給路を床面下に配設し、ドーム型の天井側の一部に煙突孔を形成したことを特徴とするサウナ用石積み建築物。
【請求項２】
出入口を備えたサウナ室の内側面を円形内周側壁面に形成し、サウナ室の天井側を半円球型のドーム型に形成し、サウナ室の円形内周側壁面及び天井側の半円球型内壁面を複数の麦飯石で形成し、天井側の半円球型内壁面を形成する複数の麦飯石を上方から支持する支持体を天井側の外壁を形成する鉄筋コンクリートの鉄筋に連結し、円形の床面を土で形成し、床面中央に燃焼炉穴を設け、床面中央の燃焼炉穴の周囲の床面を寝床とし、燃焼炉穴に外部の空気を供給する空気供給路を床面下に配設し、ドーム型の天井側の一部に煙突孔を形成したことを特徴とするサウナ用石積み建築物。
【請求項３】
床面に上下向きに円筒状となる円形状に側面外壁コンクリートを構築すると共にその内周側面の表面に複数の麦飯石を取り付け、その後、麦飯石が取り付けられた内部に上部側が半円球状の内枠を充填し、半円球状内枠の表面を所定の厚さでモルタルで被覆し、モルタル硬化に、一方向に隣設する各麦飯石同士の隙間に支持体の下部側を取り付け、且つ他方向に隣設する各麦飯石同士を連結体で連結し、各麦飯石の隣設する各麦飯石を接着剤で接着しながら、複数の麦飯石を煙突孔を除いてドーム型に石積みし、石積みした麦飯石の外周面側に半円球状に複数の鉄筋を配筋し、各支持体の上部側をその上方の鉄筋に連結した後、麦飯石の外周面側の配筋された部分に半円球状に天井用の外壁となるコンクリートを打設し、天井用の外壁となるコンクリートの硬化後に内枠を除去し、その後、麦飯石の表面のモルタルを除去することを特徴とするサウナ用石積み建築物の施工方法。
【発明の詳細な説明】
【技術分野】
【０００１】
この発明は、サウナ室を半円球型のドーム型とし、その内壁面を麦飯石で形成し、円形の床面中央に燃焼炉穴を設け、燃焼炉穴の周囲の床面を寝床し、暖められた麦飯石から遠赤外線が寝床に横たわるサウナ利用者に効率的に照射されるようにしたサウナ用石積み建築物及びその施工方法に関するものである。
【背景技術】
【０００２】
略密閉された室内を加温・加湿して、室内の温度・湿度を高めて、そこに入って汗を出すようにしたサウナ風呂が一般に知られている。サウナでは発汗作用を促進させて、発汗による体内の老廃物を体外に排出させる効能がある。
一方、遠赤外線が人体に対して有益な作用の働きがあることがわかっており、また、麦飯石を加熱すると人体に対して有益な遠赤外線が放射されることが知られている。
【特許文献１】特開２００３−２４５３２６
【特許文献２】特開２００４−０４１６０１
【発明の開示】
【発明が解決しようとする課題】
【０００３】
従来のサウナ風呂にあっては、略密閉された室内を加温・加湿して、室内の温度・湿度を高めるので、熱は皮膚の表面から体の内部に伝わるようになっているが、一部のサウナ利用者にあっては、皮膚を暖めた熱が体の内部にまで十分に伝わらずに発汗が十分でなく、前記の発汗作用による体内の老廃物を体外に排出させる効能を享受できないことがあった。
【０００４】
この発明は、上記のような課題に鑑み、その課題を解決すべく創案されたものであって、その目的とするところは、サウナ室を半円球型のドーム型とし、サウナ室の円形内周側壁面及び天井側の半円球型内壁面を麦飯石で形成し、麦飯石から遠赤外線をサウナ利用者に効率的に照射して身体の内部を芯から暖めて発汗作用を促し、発汗作用による効能を十分に享受させることのできるサウナ用石積み建築物及びその施工方法を提供することにある。
【課題を解決するための手段】
【０００５】
以上の目的を達成するために、請求項１の発明は、出入口を備えたサウナ室の内側面を円形内周側壁面に形成し、サウナ室の天井側を半円球型のドーム型に形成し、サウナ室の円形内周側壁面及び天井側の半円球型内壁面を複数の麦飯石で形成し、円形の床面を土で形成し、床面中央に燃焼炉穴を設け、床面中央の燃焼炉穴の周囲の床面を寝床とし、燃焼炉穴に外部の空気を供給する空気供給路を床面下に配設し、ドーム型の天井側の一部に煙突孔を形成した手段よりなるものである。
【０００６】
また、請求項２の発明は、出入口を備えたサウナ室の内側面を円形内周側壁面に形成し、サウナ室の天井側を半円球型のドーム型に形成し、サウナ室の円形内周側壁面及び天井側の半円球型内壁面を複数の麦飯石で形成し、天井側の半円球型内壁面を形成する複数の麦飯石を上方から支持する支持体を天井側の外壁を形成する鉄筋コンクリートの鉄筋に連結し、円形の床面を土で形成し、床面中央に燃焼炉穴を設け、床面中央の燃焼炉穴の周囲の床面を寝床とし、燃焼炉穴に外部の空気を供給する空気供給路を床面下に配設し、ドーム型の天井側の一部に煙突孔を形成した手段よりなるものである。
【０００７】
また、請求項３の発明は、床面に上下向きに円筒状となる円形状に側面外壁コンクリートを構築すると共にその内周側面の表面に複数の麦飯石を取り付け、その後、麦飯石が取り付けられた内部に上部側が半円球状の内枠を充填し、半円球状内枠の表面を所定の厚さでモルタルで被覆し、モルタル硬化に、一方向に隣設する各麦飯石同士の隙間に支持体の下部側を取り付け、且つ他方向に隣設する各麦飯石同士を連結体で連結し、各麦飯石の隣設する各麦飯石を接着剤で接着しながら、複数の麦飯石を煙突孔を除いてドーム型に石積みし、石積みした麦飯石の外周面側に半円球状に複数の鉄筋を配筋し、各支持体の上部側をその上方の鉄筋に連結した後、麦飯石の外周面側の配筋された部分に半円球状に天井用の外壁となるコンクリートを打設し、天井用の外壁となるコンクリートの硬化後に内枠を除去し、その後、麦飯石の表面のモルタルを除去する手段よりなるものである。
【発明の効果】
【０００８】
以上の記載より明らかなように、この発明によれば、サウナ室を半円球型のドーム型とし、サウナ室の円形内周側壁面及び天井側の半円球型内壁面を麦飯石で形成したので、サウナ室内を加熱することにより、円形内周側壁面及び天井側の半円球型内壁面を形成する麦飯石から遠赤外線をサウナ利用者に効率的に照射させることができ、これによりサウナ利用者の身体の内部を芯から暖めて発汗作用を促して、発汗作用による効能を十分に享受させることができる。
しかも、半円球型のドーム型の天井側の半円球型内壁面を形成する麦飯石を上方から支持する支持体を半円球型のドーム型の外壁を形成する鉄筋コンクリートの鉄筋に連結支持することによって、天井側の半円球型内壁面を形成する麦飯石がサウナ室内に落下するのを確実に防止し、サウナ利用者が落下した麦飯石によって傷付いたり怪我したりするのを防ぐことができる。
【発明を実施するための最良の形態】
【０００９】
以下、図面に記載の発明を実施するための最良の形態に基づいて、この発明をより具体的に説明する。
ここで、図１はサウナ用石積み建築物の側断面図、図２は麦飯石が支持体で上方から支持された部分断面図、図３は麦飯石が連結体で連結された部分平面図、図４（Ａ）〜（Ｈ）はこの発明を実施するための最良の形態を示すサウナ用石積み建築物の施工工程図である。
【００１０】
図において、サウナ用石積み建築物１は、サウナ室２を半円球型のドーム型とし、サウナ室２の円形内周側壁面２１及び天井側の半円球型内壁面２２を麦飯石３で形成し、麦飯石３から遠赤外線をサウナ利用者ａに効率的に照射して身体の内部を芯から暖めて発汗作用を促し、発汗作用による効能を十分にサウナ利用者ａに享受させることができる特徴を有する。
【００１１】
サウナ室２はその内側面が円筒状の内周側面に形成されていて、その内側面となる円形内周側壁面２１にはその全表面が複数の麦飯石３によって形成されている。円形内周側壁面２１の高さは例えば１ｍ程である。麦飯石３によって形成された円形内周側壁面２１の一部には出入口２１ａが備えられている。出入口２１ａの大きさは、例えば高さが１ｍ、幅が８０ｃｍ程である。出入口２１ａはオープンになっていて、空気流入口の機能を果たし、サウナ室２の内部が酸欠状態にならないようになっている。
【００１２】
高さが例えば１ｍ程の円形内周側壁面２１の円周上端には、サウナ室２の天井側を半円球型のドーム型にする半円球型内壁面２２が形成され、この半円球型内壁面２２にはその全表面が複数の麦飯石３によって形成されている。
【００１３】
サウナ室２の天井側の半円球型内壁面２２を形成する全ての各麦飯石３は、上方から支持体２３によって支持されていて、麦飯石３がサウナ室２内に落下するのが防がれている。支持体２３はその下部が隣設する麦飯石３、３同士が接着される隙間に挿入されている。
【００１４】
支持体２３の上部はサウナ室２の天井側の外壁２４を形成する鉄筋コンクリートの鉄筋２４ａに連結されている。支持体２３はその上部が鉄筋２４ａの外周側に例えば円形状に巻いて取り付けられ、円形状に加工された始点側と終点側が溶接されて連結されている。支持体２３には例えば鉄板（４００ｍｍ×７０ｍｍ×９ｍｍ）が使用されている。
【００１５】
サウナ室２の底面となる円形の床面２５は土で形成されている。床面２５の中央には床面２５より低い燃焼炉穴２６が設けられている。燃焼炉穴２６はサウナ室２内を加熱するために、焚き物を燃焼させる炉穴である。燃焼炉穴２６の周囲の床面２５はサウナ利用者ａの寝床となっている。サウナ利用者ａは土からなるこの床面２５の上に敷かれている例えば麻袋ｂ内に入って仰向けに横たわって、発汗作用による効能を十分に享受することになる。
【００１６】
この燃焼炉穴２６には、燃焼炉穴２６に外部の空気を供給する空気供給路２６ａが配設されている。空気供給路２６ａはその一端が燃焼炉穴２６の側面に連通接続されており、その他端側は床面２５の下方側をサウナ室２の外部に向かって配設されて、大気中に開口された図示しない空気取り入れ口に連通接続されている。
【００１７】
サウナ室２のドーム型の天井側の一部、例えば燃焼炉穴２６の真上となる天井の中央には煙突孔２７が形成されている。燃焼炉穴２６で燃やしたときに出る煙はこの煙突孔２７を通じてサウナ室２の外部に排出される。またサウナ室２の天井側にはこの煙突孔２７とは別に、小孔の補助煙突孔２７ａが形成されている。この補助煙突孔２７ａは、煙突孔２７だけでは十分に煙りを排出できないときや煙突孔２７が故障で機能しない場合のための補助的な役目を果たす。
【００１８】
次に、上記発明を実施するための最良の形態の構成に基づくサウナ用石積み建築物の施工方法について以下説明する。
床面２５の表面に上下向きに円筒状となる円形状に側面外壁コンクリート４を構築すると共に、円形状の側面外壁コンクリート４の内周側面の表面の全面に複数の麦飯石３を取り付けて円形内周側壁面２１を形成する。円形内周側壁面２１の高さは前記したように例えば１ｍ前後である。上下及び左右の各麦飯石３、３同士は例えば黄土からなる接着剤によって接着される。
【００１９】
その後、円形内周側壁面２１の内部に内枠としての例えば発泡スチロール５を充填すると共に、充填した発泡スチロール５の上部側を半円球型に形成する。半円球型の発泡スチロール５の表面部分にモルタルを例えば厚さ２ｃｍ位にわたって被覆して、半円球型の発泡スチロール５の表面部分をモルタル６で覆う。モルタル６は、その後に麦飯石３を石積みする場合に、内枠としての発泡スチロール５の表面が変形するのを防いで麦飯石３の表面が傷つくの防ぐ役目を果たす。
【００２０】
モルタル６が固まった後に、モルタル６の表面に麦飯石３を半円球状に石積みして行く。このとき、各麦飯石３、３同士の一方向側で隣設するその接続部分の隙間には、前記の上向きに延びる支持体２３の下部側を挿入して、例えば黄土からなる接着剤で各麦飯石３、３同士を接続する。
【００２１】
また、支持体２３が挿入された方向に対してこれと直交する他方向側で隣設するその接続部分には例えばアンカーからなる水平向きの連結体３１の両端側をそれぞれ挿入して、例えば黄土からなる接着剤で各麦飯石３、３同士を接続する。このように、他方向で接続する麦飯石３、３同士はこの連結体３１によって強固に連結されている。
【００２２】
以上のようにして、各麦飯石３、３同士の一方向の隣設する部分には上向きに延びる支持体２３の下部側を挿入しその隙間は接着剤で接着し、また各麦飯石３、３同士の他方向の隣設する部分には連結体３１の両端側を挿入しその隙間は接着剤で接着しながら、半円球状に複数の麦飯石３を石積みする、このとき、半円球の頂点部分には石積みを行わず、煙突孔２７を形成する。
【００２３】
このようにして、半円球状に麦飯石３を石積みした後に、その外周面側に複数の鉄筋２４ａを半円球状に配筋する。各鉄筋２４ａは上下に間隔をあけて上下に二段に配筋され、更に上下に二段に配筋された鉄筋２４ａに対してこれと直交する方向に、同様に上下に間隔をあけて上下に二段の鉄筋２４ａを配筋する。つまり、最下段の鉄筋２４ａに対してその上側に直交する鉄筋２４ａを配筋史し、その上に直交する鉄筋２４ａつまり最下段の鉄筋２４ａと平行に配筋し、さらにその上に直交する鉄筋２４ａつまり下から二段目の鉄筋２４ａと平行に配筋する。つまり、上下の各鉄筋２４ａは上下方向でその配筋方向が交互に直交するように配筋する。
【００２４】
また、配筋された一部の鉄筋２４ａの外周に前記の上向きに延びる支持体２３の上部側を円形状に巻き、支持体２３の上部側の一回り巻いた円形の始点と終点とを溶接する。これにより、支持体２３の上部側が鉄筋２４ａから外れることがなく、支持体２３の上部を鉄筋２４ａに強固に連結して支持させることが可能となる。
【００２５】
以上のようにして、鉄筋２４ａを配筋し、又配筋した鉄筋２４ａの一部に支持体２３の上部側を強固に連結して支持させた後に、麦飯石３の外周面側となる配筋された鉄筋２４ａ部分に天井用の外壁２４となるコンクリートを半円球状に打設する。
【００２６】
天井用の外壁２４のコンクリートが固まって所定の強度を有するようになってから、内側の発泡スチロール５を除去する。発泡スチロール５は出入口２１ａから少しづつ取り出される。
【００２７】
発泡スチロール５を除去した後に、麦飯石３の表面に付着しているモルタル６を麦飯石３の表面から削りながら除去する。
【００２８】
サウナ室２の床面２５の中央に燃焼炉穴２６を造り、この燃焼炉穴２６に空気供給路２６ａを取り付けて完成する。この作業は工事の最初に行うことも可能である。
【００２９】
なお、この発明は上記発明を実施するための最良の形態に限定されるものではなく、この発明の精神を逸脱しない範囲で種々の改変をなし得ることは勿論である。例えば、内枠として発泡スチロール５を使用した場合で説明したが、内枠は発泡スチロール５に限定されるものではない。
【図面の簡単な説明】
【００３０】
【図１】この発明を実施するための最良の形態を示すサウナ用石積み建築物の側断面図である。
【図２】この発明を実施するための最良の形態を示すもので麦飯石が支持体で上方から支持された部分断面図である。
【図３】この発明を実施するための最良の形態を示すもので麦飯石が連結体で連結された部分平面図である。
【図４】（Ａ）〜（Ｈ）はこの発明を実施するための最良の形態を示すサウナ用石積み建築物の施工工程図である。
【符号の説明】
【００３１】
１    サウナ用石積み建築物
２    サウナ室
２１    円形内周側壁面
２１ａ  出入口
２２    半円球型内壁面
２３    支持体
２４    外壁
２４ａ  鉄筋
２５    床面
２６    燃焼炉穴
２６ａ  空気供給路
２７    煙突孔
２７ａ  補助煙突孔
３    麦飯石
３１    連結体
４    側面外壁コンクリート
５    発泡スチロール
６    モルタル
ａ    サウナ利用者
ｂ    麻袋
【図１】
2006263357.tif 000003
【図２】
2006263357.tif 000004
【図３】
2006263357.tif 000005
【図４】
2006263357.tif 000006